(57)【要約】      （修正有）【課題】良好なコミュニケーションをとれるようにして、広告・宣伝等の情報をより効果的に発信する。【解決手段】被写体Ｅを撮影する撮影部１と、他の投影装置Ａ、Ｂ、Ｃの撮影部１で撮影された画像を投影する投影部２と、投影部２の画像が投影されるスクリーン部７と、スクリーン部７に設定され、画像の投影領域となるスクリーン領域６が設定されるスクリーン部７と、スクリーン部７に設けられ、被写体像を透過させる透過部８と、複数の投影装置Ａ、Ｂ、Ｃの夫々に設けられ、撮影した画像を送受信する送受信部５と、を備える。撮影部１を、スクリーン部７を境とする一方側から、透過部８を通して他方側の被写体Ｅを撮影するように設置する。【選択図】図２
2011160313.tif 000002
【特許請求の範囲】
【請求項１】
複数の投影装置を相互通信可能に接続してなる投影システムに用いられる投影装置であって、被写体を撮影する撮影部と、他の投影装置の撮影部で撮影された画像を投影する投影部と、該投影部の画像の投影領域となるスクリーン領域が設定されるスクリーン部と、前記スクリーン部に設けられ、被写体像を透過させる透過部と、前記複数の投影装置の夫々に設けられ、撮影した画像を送受信する送受信部と、を備え、前記撮影部は、前記スクリーン部を境とする一方側から、前記透過部を通して他方側の前記被写体を撮影するように設置されていることを特徴とする投影装置。
【請求項２】
前記スクリーン領域が、前記スクリーン部の全域又は選択された一部に設定されていることを特徴とする請求項１記載の投影装置。
【請求項３】
前記スクリーン領域の中央部が、画像を見ている人の目線と同高となるように設定されていることを特徴とする請求項１又は２記載の投影装置。
【請求項４】
前記透過部が、前記スクリーン領域の中央部に設けられていることを特徴とする請求項１乃至３いずれか１項記載の投影装置。
【請求項５】
前記透過部が、貫通孔又は透明であることを特徴とする請求項１乃至４いずれか１項記載の投影装置。
【請求項６】
前記透過部が貫通孔であって、該貫通孔が透明体で塞がれていることを特徴とする請求項５記載の投影装置。
【請求項７】
前記撮影部が、前記スクリーン部に対して別体又は一体に設置されていることを特徴とする請求項１乃至６いずれか１項記載の投影装置。
【請求項８】
前記スクリーン部が、建築物の開口部や内部空間を開閉する開閉体であることを特徴とする請求項１乃至７いずれか１項記載の投影装置。
【請求項９】
複数の投影装置を相互通信可能に接続してなる投影システムであって、前記投影装置は、被写体を撮影する撮影部と、他の投影装置の撮影部で撮影された画像を投影する投影部と、該投影部の画像の投影領域となるスクリーン領域が設定されるスクリーン部と、該スクリーン部に設定され、画像の投影領域となるスクリーン領域と、前記スクリーン部に設けられ、被写体像を透過させる透過部と、前記複数の投影装置の夫々に設けられ、撮影した画像を送受信する送受信部と、該送受信部を相互通信可能に接続する通信回線と、を備え、前記撮影部は、前記スクリーン部を境とする一方側から、前記透過部を通して他方側の前記被写体を撮影するように設置されていることを特徴とする投影システム。
【発明の詳細な説明】
【技術分野】
【０００１】
本発明は、画像を投影しながら撮影を行うことができる機能を備えた投影装置及び投影システムに関する。
【背景技術】
【０００２】
投影装置は、建築物の開口部を開閉する開閉体をスクリーン部とし、この開閉体に設定されたスクリーン領域に画像を投影する投影部を具備したものが知られている。このような投影装置は、閉鎖状態の開閉体に設定されたスクリーン領域に画像を投影することで、この開閉体をディスプレイとして機能させている。
【０００３】
下記特許文献１に記載のものは、躯体外側に設置されたプロジェクタから閉鎖状態の開閉体に設定されたスクリーン領域に画像を投影することで、この開閉体をディスプレイとしている。このプロジェクタは、パソコン、ビデオコーダ、ビデオプレーヤ、ＴＶチューナ、カメラ等の画像信号発信機器を備え、この画像信号発信機器から発信された画像情報信号が入力され、入力された画像情報信号に応じた画像を開閉体の表面に投影するようになっている。
【先行技術文献】
【特許文献】
【０００４】
【特許文献１】特開２００７−２０６３５０号公報
【発明の概要】
【発明が解決しようとする課題】
【０００５】
このような従来技術によると、投影部が画像を開閉体に設定されたスクリーン領域に投影して各種情報表示を行うようにしているため、スクリーン部材を設置することなく、広告表示や宣伝表示等、多様な情報表示を行うことができ、しかも、この情報表示を簡単に変更することができる。
【０００６】
このような投影装置の使用形態として、前述の画像信号発信機器にカメラを使用した投影装置を離間した複数の場所に設置するとともに、この投影装置相互を有線通信回線や無線通信回線等で接続してなる投影システムが挙げられる。このような投影システムによると、Ａ地点のカメラで撮影した動画や静止画をＡ地点から離間したＢ地点のシャッターカーテンに投影し、このＢ地点のカメラで撮影した動画や静止画を前述のＡ地点のシャッターカーテンに投影することができる。
【０００７】
更に、この投影システムにマイクとスピーカを使用し、Ａ地点のマイクに入力した音声をＢ地点のスピーカから出力するとともに、Ｂ地点のマイクに入力した音声をＡ地点のスピーカから出力できるように構成することで、Ａ地点とＢ地点の人同士が互いに相手の姿の動画や静止画を見ながら会話ができるようにすることで、離間した場所で相互にコミュニケーションをとりながらリアルタイムで情報交換等をすることができる。
【０００８】
このような投影システムは、スクリーン領域に投影される互いの目線を合わせて顔を見ながら会話をできるようにすることが、コミュニケーションをとるという点において好ましい。このようにするためには、前述のスクリーン領域に正対する体勢の人の前にカメラを置き、このカメラの撮影レンズ部を人の目線と正対するように調整することが必要になる。
【０００９】
しかしながら、前述のようにカメラのレンズ部が人の目線と正対するようにした場合、このカメラがスクリーン領域と重なって、投影される画像を見る人の目線の邪魔になるおそれがある。
【００１０】
本発明は、このような問題に対処することを課題とするものである。すなわち、スクリーン領域に投影された画像を見ている人の目線を妨げずにこの人を撮影できるようにすること、目線を妨げずに画像を見ている人を撮影することで、投影された相手の顔を相互に見ることができるようにすること、投影された相手の顔を相互に見られるようにすることで良好なコミュニケーションをとることができるようにすること、良好なコミュニケーションをとれるようにすることで、広告・宣伝等の情報をより効果的に発信することができるようにすること、等が本発明の目的である。
【課題を解決するための手段】
【００１１】
このような目的を達成するために、本発明の投影装置及び投影システムは、以下の構成を少なくとも具備するものである。
【００１２】
複数の投影装置を相互通信可能に接続してなる投影システムに用いられる投影装置であって、被写体を撮影する撮影部と、他の投影装置の撮影部で撮影された画像を投影する投影部と、該投影部の画像の投影領域となるスクリーン領域が設定されるスクリーン部と、前記スクリーン部に設けられ、被写体像を透過させる透過部と、前記複数の投影装置の夫々に設けられ、撮影した画像を送受信する送受信部と、を備え、前記撮影部は、前記スクリーン部を境とする一方側から、前記透過部を通して他方側の前記被写体を撮影するように設置されていることを特徴とする。
【００１３】
複数の投影装置を相互通信可能に接続してなる投影システムであって、前記投影装置は、被写体を撮影する撮影部と、他の投影装置の撮影部で撮影された画像を投影する投影部と、該投影部の画像の投影領域となるスクリーン領域が設定されるスクリーン部と、該スクリーン部に設定され、画像の投影領域となるスクリーン領域と、前記スクリーン部に設けられ、被写体像を透過させる透過部と、前記複数の投影装置の夫々に設けられ、撮影した画像を送受信する送受信部と、該送受信部を相互通信可能に接続する通信回線と、を備え、前記撮影部は、前記スクリーン部を境とする一方側から、前記透過部を通して他方側の前記被写体を撮影するように設置されていることを特徴とする。
【発明の効果】
【００１４】
このような特徴を有することで本発明は以下の効果を奏する。すなわち、スクリーン部に設けられた透過部を通して、スクリーン部を境とする一方側に設置された撮影部が他方側の被写体を撮影するようにしたので、スクリーン領域に投影された画像を見ている人の目線を妨げずにこの人を撮影できる。目線を妨げずに画像を見ている人を撮影することで、投影された相手の顔を相互に見ることができる。投影された相手の顔を相互に見られるようにすることで良好なコミュニケーションをとることができ、良好なコミュニケーションをとれるようにすることで、広告・宣伝等の情報をより効果的に発信することができる。
【図面の簡単な説明】
【００１５】
【図１】投影システムの概略構成図。
【図２】投影装置の側面図。
【図３】図２の正面図。
【図４】図１の要部拡大図。
【図５】投影装置の第２実施形態を示す側面図。
【図６】投影装置の第３実施形態を示す側面図。
【図７】投影装置の第４実施形態を示す側面図。
【図８】投影システムの使用形態の一例を示す概略構成図。
【発明を実施するための形態】
【００１６】
前述のスクリーン部とは、建築物の開口部や内部空間を開閉する開閉体、建築物の壁面、建築物の内部空間を仕切る仕切り壁、建築物の埋め込み窓、立て看板等の既設のもの、画像を投影するために設置されるスクリーン部材等、画像の投影が可能な面を有するものであればよい。
【００１７】
前述のスクリーン領域は、スクリーン部の全域又は選択された一部のいずれに設定してもよく、投影される画像を見やすい大きさや位置となるように設定すればよい。好ましくは、スクリーン領域の中央部が画像を見ている人の目線と同高となるように設定する。
【００１８】
前述のスクリーン領域に段差や凹凸があって投影される画像が見難い場合、あるいはスクリーン領域の色がスクリーンとして適していない場合には、このスクリーン領域にスクリーン部材を取り付けたり、スクリーンに適した色にしたりするとよい。
【００１９】
前述の透過部は、スクリーン部の正面に位置する被写体を撮影できる位置であれば、このスクリーン部のいずれの位置に設定してもよいが、複数の投影装置の被写体が人である場合、スクリーン領域に投影される人の目線と、この人の画像を見ている人との目線を合わすことができるように撮影することが好ましい。そのため、本発明では、前述の透過部をスクリーン領域の中央部に設けたことを特徴とする。
【００２０】
前述の透過部は、被写体像を撮影部に至らせることができる形態であればよく、貫通孔とした形態又は透明とした形態により達成できる。
【００２１】
透過部が貫通孔である場合、この撮影部をほこりや水分等から保護をすることが必要である。そのため、本発明では、貫通孔を透明体で塞ぐことを特徴とする。この透明体は、薄板状の合成樹脂材、ガラス材等を、前述の貫通孔を塞ぐことができる大きさに加工したものを用いることができる。
【００２２】
前述の撮影部は、前述のスクリーン部に対して別体に設置してもよいし、一体に設置してもよい。
【００２３】
前述の撮影部は、小型のものを用いることが好ましく、例えば、ＣＣＤ（Charge Coupled Device）やＣＭＯＳ（Complementary Metal Oxide Semiconductor）のような撮像素子を備え、携帯電話、インターフォン等に利用される小型のデジタルビデオカメラを用いるとよい。
【００２４】
前述の透過部の位置は、撮影する位置を被写体によって変更できるようにするとよい。そのため、本発明では、スクリーン部を建築物の開口部や内部空間を開閉する開閉体としたことを特徴とする。
【００２５】
前述の通信回線は、有線通信回線又は無線通信回線いずれでもよい。
【００２６】
前述のスクリーン部の一例である開閉体は、オーバーヘッドドアを含むシャッター装置、ロールスクリーン装置、スライディングウォール装置、垂れ壁装置、引戸装置等に用いられるものである。この開閉体は、複数のスラットやパネルを開閉方向へ連設してなる形態、シート状体等、更には、前述のスラット、パネル、シート状体を適宜組み合わせてなる形態等が挙げられる。これら、スラット、パネル、シート状体等は、不透明のもの、透明のもの、透光性を有するもの（半透明）等、画像の投影が可能なものであればよい。
【００２７】
以下、本発明の投影装置及び投影システムの実施形態を図面に基づいて説明する。本実施形態では、３個の投影装置Ａ、Ｂ、Ｃを備えた投影システムＤとして例示する。
【００２８】
図１は、第１実施形態の投影装置Ａ、Ｂ、Ｃを備えた投影システムＤの概略構成図である。投影システムＤは、夫々離間した場所に設置された投影装置Ａ、Ｂ、Ｃを相互通信可能に接続してなるものである。
【００２９】
尚、投影装置Ａ、Ｂ、Ｃは、同構成であるので、以下では、投影装置Ａの構成を説明することで投影装置Ｂ、Ｃの説明を省略する。
【００３０】
投影装置Ａは、被写体Ｅを撮影する撮影部１と、撮影部１で撮影された画像を投影する投影部２と、音声を入力する音声入力部３と、入力された音声を出力する音声出力部４と、撮影した画像及び入力された音声を送受信する送受信部５と、投影部２からの画像が投影されるスクリーン領域６が設定されたスクリーン部７と、スクリーン部７を境とする一方側に設置された撮影部１に、他方側の被写体Ｅの被写体像を至らせるための透過部８とが備えられており、各送受信部５が通信回線Ｇ１を介して相互通信可能に接続されている。
【００３１】
撮影部１、投影部２、音声入力部３、音声出力部４と送受信部５とは、通信回線Ｇ２を介して通信可能に接続され、撮影部１で撮影した画像の画像データと、音声入力部３で入力された音声データとが送受信部５に入力されるようになっている。また、入力された画像データと音声データは、送受信部５から通信回線Ｇ１を介して接続された他の送受信部５に送信されるようになっている。この送信された画像データと音声データを受信した送受信部５が、通信回線Ｇ２を介して受信した画像データを投影部２に出力するとともに、音声データを音声出力部４に出力するようになっている。
【００３２】
このような投影システムＤは、投影装置Ａ、Ｂ、Ｃ夫々の、撮影部１の撮影動作、投影部２の投影動作、音声入力部３の音声入力動作、音声出力部４の音声出力動作、送受信部５に対する画像データや音声データの入出力動作、送受信部５の画像データ及び音声データの送受信動作が制御されている。
【００３３】
投影システムＤは、この投影システムＤから離間した場所に設置された制御部Ｄ１において遠隔制御するようにされている。本実施形態では、通信回線Ｇ１が制御部Ｄ１を介して送受信部５同士を相互通信可能に接続しており、この制御部Ｄ１が前述の撮影動作、投影動作、音声入力動作、音声出力動作、画像データ及び音声データの入出力動作及び送受信動作を制御するようになっている。
【００３４】
制御部Ｄ１には、記憶部、設定部、操作部、ＣＰＵ等（いずれも図示せず）が備えられている。記憶部には、前述のＣＰＵが実行する各種プログラムや、各種アプリケーションプログラム、及び各種データ等を記憶したＲＯＭ、前述の設定部及び操作部による設定データや操作データ等を一時的に記憶するＲＡＭ等が備えられており、前述の設定部、操作部の要求に基づいて各種プログラムや各種データの出し入れが行われるようになっている。また、前述の設定部の設定や操作部の操作により、投影装置Ａ、Ｂ、Ｃのいずれか一つを非動作状態としたり、投影装置Ａ、Ｂ、Ｃのいずれか一つ又は二つで撮影した画像及び入力された音声を残りの一つ又は二つの投影装置に対して送信したりすることも可能である。
【００３５】
以下、図２〜図４に基づいて投影装置Ａの構成を具体的に説明する。また、本実施形態では、被写体Ｅを人とし、透過部８を貫通孔とし、スクリーン部７を建築物Ｆの内側Ｆ１と外側Ｆ２を連通する開口部Ｆ３を開閉する開閉体とする。また、本実施形態では、透過部８を開閉体７の外側面７０に設定されたスクリーン領域６内に、開口部Ｆ３の開口方向と平行に設けられた貫通孔８とする。
【００３６】
本実施形態において、「開閉体開放方向」とは、開閉体が開口部を開放するためにスライドする方向である。また、「開閉体閉鎖方向」とは、開閉体が開口部を閉鎖するためにスライドする方向である。また、「開閉体厚さ方向」とは、閉鎖状態の開閉体の厚さ方向を意味する。また、「開閉体幅方向」とは、開閉体の開閉方向と直交する方向であって、開閉体厚さ方向ではない方向を意味する。本実施形態における開閉体開閉方向は、垂直方向又は画像投影が可能とする程度の垂直に近い方向を含む高さ方向に沿う方向である。
【００３７】
尚、投影装置Ａ、Ｂ、Ｃは、同構成であるので、以下では、投影装置Ａの構成を説明することで投影装置Ｂ、Ｃの説明を省略し、この投影装置Ｂ、Ｃの概略を図示する。
【００３８】
本実施形態の開閉体７は、開閉体開閉方向にスライドして開閉動作するものであり、横長略矩形状の金属板を曲げ加工してなる複数のスラット７Ａを、開閉体開閉方向に並列させるとともに、隣接するスラット７Ａ同士の間で回動するように連設し、閉鎖方向端側のスラット７Ａの閉鎖方向端部に座板７Ｂを接続して構成されている（図４参照）。この開閉体７は、開閉体開放方向側に設けられた収納部Ｈに内蔵された巻取り装置Ｉにより巻取り及び繰り出しが行われ、巻取り状態において収納部Ｈに収納されるようになっている。また、開閉体７は、開閉体幅方向（図３において左右方向）の端部を囲み開閉方向へ案内するガイドレールＦ４に支持されている。
【００３９】
ガイドレールＦ４は、開閉体７の幅方向側端部を支持する部材であり、床面Ｆ５と収納部Ｈとにわたって設置されている。
【００４０】
巻取り装置Ｉは、開閉体７の巻取り及び繰り出しを行う巻取り軸Ｉ１と、巻取り軸Ｉ１をチェーン及びスプロケット等の動力伝達部Ｉ２を介して駆動回転させる開閉機Ｉ３とを備えている。開閉機Ｉ３は、リモコン（図示せず）により開閉動作が遠隔操作され、この開閉機Ｉ３の開閉動作に伴って開閉体７を開閉動作させるようになっている。この巻取り装置Ｉは、開閉体７が自重で移動しないように、自重による移動力に抗する付勢力手段（図示せず）を設けたり、開閉機Ｉ３にブレーキ（図示せず）を備えたりする等、開閉体７の停止を維持する機構を備えることが好ましい。
【００４１】
尚、本発明は、開閉機Ｉ３の駆動によって開閉体７を開閉する形態に限らず、手動によって開閉体７を開閉する形態としてもよい。
【００４２】
撮影部１は、小型のデジタルビデオカメラであり、開閉体７の内側面７１に固定状に設置されている。この撮影部１は、レンズ部１Ａと貫通孔８とが同軸となるようにして、スラット７Ａの内側の凹部７０Ａに挿入状に設置されており、開閉体７の巻取りに支障を生じさせたり、巻取られた状態の開閉体７に挟まれて故障等が生じたりしないように、凹部７０Ａから開閉体厚さ方向へ突出しない程度の大きさのものが使用されている（図４参照）。また、撮影部１は、雨水、砂塵、小石等による不具合が生じたりしないように、カバー体１Ｂにより被覆されている。
【００４３】
カバー体１Ｂは、撮影部１が巻取られた開閉体７の間に位置したときに、開閉体７の重さで潰れない程度の硬さを有する素材、あるいは、開閉体７の重さを吸収する柔軟性を有する素材等で形成されている。
【００４４】
投影部２は、例えば、プロジェクタを用いることができる。この投影部２は、投射レンズ部２Ａをスクリーン領域６に向けて、開口部Ｆ３の上部の壁面Ｆ６に取り付けられたアームＦ７の先端に軸支されている。
【００４５】
アームＦ７は、平行リンク構造とする伸縮自在なものであり、壁面Ｆ６に対して接近・離間する方向に伸縮して、投影部２とスクリーン領域６との距離を調節したり、不使用時には壁面Ｆ６に接近するように収縮させて収納状態にしたりするようになっている。また、投影部２を開閉体開閉方向に回転可能に軸支して、この投影部２の投射角度を調節できるようになっている。
【００４６】
尚、投影部２の設置形態は、例示したような伸縮自在なアームＦを介して設置する形態に限らず、オーニング装置を利用して設置するようにしてもよい（図示せず）。また、伸縮自在な部材を用いずに、スクリーン領域６に画像を投影できるように設置してもよい（図示せず）。また、投影部２の設置位置は、例示したようなスクリーン領域６に対して上方でなくてもよい。
【００４７】
音声入力部３は、マイクであり、壁面Ｆ６に取り付けられている。音声出力部４は、スピーカであり、壁面Ｆ６に設置されている。この音声入力部３及び音声出力部４の設置部位は、音声の入出力が良好である部位であればよく、撮影部１と同様に、スラット７Ａの凹部７０Ａに挿入固定してもよい（図示せず）。この場合、スラット７Ａに貫通孔（図示せず）を開けて音声の入出力を行うようにするとよい（図示せず）。また、音声入力部３や音声出力部４を開閉体７の外側面７０に取り付けてもよい（図示せず）。
【００４８】
送受信部５は、雨水や砂塵等による不具合が生じたり、建築物Ｆの内側Ｆ１の障害物になったりしないように、収納部Ｈ内に設置されている。送受信部５の設置部位は、雨水や砂塵等の影響を受け難く、建築物Ｆの内側Ｆ１において邪魔にならない部位であればよい。
【００４９】
スクリーン領域６は、開閉体７の外側面７０の所定の範囲、且つ所定の位置に設定されている。投影部２は、このスクリーン領域６に画像を投影できるように、アームＦ７の長さが調節されているとともに、投影部２の角度が調節されている。尚、人などの被写体Ｅを照らす照明を、スクリーン領域６を避けた配置で設置してもよい。
【００５０】
本実施形態のスクリーン領域６は、起立状態とする人Ｅの目線Ｅ１０の高さがスクリーン領域６の中央部となる位置に設定されており、起立状態とする人Ｅが目線Ｅ１０を上下することなく、スクリーン領域６の中央部を見ることができる位置となっている。貫通孔８は、スクリーン領域６の前述した中央部に設けられており、撮影部１の撮影方向１０を起立状態とする人Ｅの目線Ｅ１０と同高となるようにして、この目線Ｅ１０の高さを中心として人Ｅを撮影できるようになっている。すなわち、スクリーン領域６の中央部を見ている人Ｅを、その目線Ｅ１０を中心として撮影することができるとともに、スクリーン領域６の中央部に人Ｅの目線Ｅ１０を位置させて投影することができるので、投影装置Ａ、Ｂ、Ｃで画像を見ている人Ｅ同士の目線Ｅ１を合わせることができる。
【００５１】
図４に示すように、貫通孔８には、撮影部１のレンズ部１Ａを保護するための板状の透明体８０が、貫通孔８を塞ぐように取り付けられている。すなわち、この透明体８０が撮影部１の撮影を阻害せずに、建築物Ｆの外側Ｆ２からの雨水、砂塵、小石等からレンズ部１Ａを保護するとともに、この雨水、砂塵、小石等の建築物Ｆの内側Ｆ１への侵入を防ぐようになっている。この貫通孔８の孔形状は任意であるが、一般的には、貫通孔８により像が欠けずに撮影できる範囲の最小サイズで、丸孔又は撮影画面形状に応じた形状の孔とするのが好ましい（図示せず）。透明体８０には、撮影部１の撮影を大きく阻害しない範囲で半透過としてスクリーン領域６の一部として機能するようにしてもよい。例えば、透明パネル上に撮影部１側の面が黒系色で投影部２側の面が白系色となるようなドット模様を印刷する（図示せず）。ドットが占める割合が多すぎなければ黒い面のドット模様は撮影部ではピンボケしてほとんど見えないため、被写体Ｅを撮影することができ、また、ドット部の白い面の上に投影部２からの映像を映すことができる。このドット模様の代わりにゼブラ模様、チェック模様、渦巻模様、透明体８０が回析レンズとなる模様等にすることも可能である（図示せず）。
【００５２】
本実施形態では、起立状態とする人Ｅの目線Ｅ１０の高さを、平均的な身長とする人Ｅの目線Ｅ１０の高さを想定しており、平均身長を超える人Ｅに対しては、開閉体７を開放動作させて、スクリーン領域６の中央部の位置を高くすることにより、この人Ｅの目線Ｅ１０の高さに合わせることができる。また、平均身長未満の人Ｅの目線Ｅ１０の高さにも対応できるようにするには、スクリーン領域６の中央部の位置を、開閉体７のある程度開放した状態で平均身長とする人Ｅの目線Ｅ１０の高さとなるように設定しておき、平均身長未満の人Ｅに対しては、開閉体７を閉鎖動作させ、平均身長を超える人Ｅに対しては、開閉体７を開放動作させることによって、スクリーン領域６の中央部の位置を人Ｅの目線Ｅ１０の高さとなるように調節すればよい。
【００５３】
このような投影装置Ａ、Ｂ、Ｃによると、スクリーン領域６に投影された画像を見ている人Ｅの目線Ｅ１０及び投影を妨げずに、この人Ｅをその目線Ｅ１０の高さを中心として撮影することができるとともに、撮影された人Ｅの目線Ｅ１０の高さをスクリーン領域６の中央部に位置させて投影することができる。すなわち、この投影装置Ａ、Ｂ、Ｃのスクリーン領域６に投影された人Ｅの目線Ｅ１０と、この画像を見ている人Ｅの目線Ｅ１０とを合わせながら会話ができる投影システムＤを構築することができる。したがって、投影された相手の目を相互に見ながら会話することで、良好なコミュニケーションをとることができ、良好なコミュニケーションをとれることにより、広告・宣伝等の情報をより効果的に発信することができる。
【００５４】
図５は、投影装置Ａの第２実施形態を示す構成図である。本実施形態では、前述の第１実施形態と重複する構成の説明を図面に同符号を付すことにより省略する。
【００５５】
本実施形態の撮影部１は、建築物Ｆの内側Ｆ１の床面Ｆ５に載置する三脚等の支持体Ｊに、レンズ部１Ａが貫通孔８と同軸となる高さ及び位置となるとともに、貫通孔８に近接する位置となるように支持されている。支持体Ｊは、持ち運びが可能であるとともに、高さ調節が可能なものであり、撮影部１の設置や開閉体７の開閉動作における貫通孔８の変更される位置に対する調整が容易にできるようになっている。
【００５６】
このような投影装置Ａ、Ｂ、Ｃによると、前述の第１実施形態と同様の作用効果を奏する上に、建築物Ｆ内の床面Ｆ５に載置する支持体Ｊに支持されているので、撮影部１の設置・撤収を容易、且つ迅速に行うことができる。
【００５７】
図６は、投影装置Ａの第３実施形態を示す構成図である。本実施形態では、前述の第１実施形態と重複する構成の説明を図面に同符号を付すことにより省略する。本実施形態のスクリーン部７は、建築物Ｆの高さ方向に沿う壁面とする。
【００５８】
本実施形態の投影装置Ａは、壁面７の外側面７０にスクリーン領域６が設定されており、このスクリーン領域６の中央部に、建築物Ｆの内側Ｆ１と外側Ｆ２を貫通する貫通孔８が設けられている。撮影部１は、支持体Ｊで支持して設置されている。本実施形態では、送受信部５を建築物Ｆの内側Ｆ１の天井Ｆ８に設置することで、この送受信部５が建築物Ｆの内側Ｆ１で邪魔にならないようにしている。尚、本実施形態では、撮影部１を支持体Ｊで支持して設置した形態で例示しているが、この撮影部１は、壁面７の内側面７１一体に取り付けて設置してもよい（図示せず）。
【００５９】
本実施形態の投影装置Ａ、Ｂ、Ｃによると、前述の第１実施形態と同様の作用効果を奏する上に、建築物Ｆの壁面７にもスクリーン領域６を設定することができる。
【００６０】
図７は、投影装置Ａの第４実施形態を示す構成図である。本実施形態では、前述の第１実施形態と重複する構成の説明を図面に同符号を付すことにより省略する。また、本実施形態のスクリーン部７は、透明なガラス材や合成樹脂材からなる透明部材を、建築物Ｆの高さ方向に沿って嵌め込んだ嵌め込み窓とする。また、本実施形態では、嵌め込み窓７の一部が透過部８となる。本実施例では嵌め込み窓７を、ショーウインドウを構成するのに用いたものとして例示する。
【００６１】
本実施形態の投影装置Ａは、撮影部１が嵌め込み窓７の内側面７１に一体に設置され、投影部２は、建築物Ｆの内側Ｆ１の天井Ｆ８に設置されており、撮影部１が透過部８を通して建築物Ｆの外側Ｆ２を撮影し、投影部２が建築物Ｆの内側Ｆ１から嵌め込み窓７の内側面７１に画像を投影するようになっている。この嵌め込み窓７の内側面７１にスクリーン領域６が設定されており、このスクリーン領域６の中央部を透過部８として使用するようになっている。また、スクリーン領域６に投影された画像を嵌め込み窓７の外側面７０に透過させることで、この画像を建築物Ｆの外側Ｆ２から見ることができるようになっている。本実施形態では、送受信部５を建築物Ｆの内側Ｆ１の天井Ｆ８に設置することで、この送受信部５がショーウインドウ内の床面Ｆ５に設置されるディスプレイの邪魔にならないようにしている。スクリーン領域６に投影される画像を結像可能とする手段は任意であるが、例えば周知の透明スクリーンや半透明スクリーンを嵌め込み窓７に貼り付けたり、嵌め込み窓７自体を半透明としたりすることができる（図示せず）。尚、撮影部１の配置部分に透明な透過部８を確保するのが好ましい（図示せず）。嵌め込み窓７は、ガラスパネルを連設したパネルシャッターのような開閉体に置き換えてもよい（図示せず）。
【００６２】
尚、本実施形態では、撮影部１を嵌め込み窓７の内側面７１一体に取り付けて設置した形態で例示しているが、この撮影部１は、支持体Ｊで支持して設置してもよく、この場合、投影部２の投影に邪魔にならない位置に設置する（図示せず）。
【００６３】
本実施形態の投影装置Ａ、Ｂ、Ｃによると、前述の第１実施形態と同様の作用効果を奏する上に、スクリーン領域６の中央部の透過部８を通して撮影するようにしているので、嵌め込み窓７に開孔加工をすることなく建築物Ｆの外側Ｆ２の撮影をすることができる。更に、投影部２を建築物Ｆの内側Ｆ１に設置したので、建築物Ｆの外側Ｆ２に突出物を存在させることなく画像の投影を行うことができ、投影部２に対して雨水、砂塵等から保護する加工等も不要にすることができる。
【００６４】
尚、本発明の投影装置Ａ、Ｂ、Ｃは、前述した各実施形態のように建築物Ｆの例示した各部位に設置した形態に限らず、立て看板等に設置し、この立て看板の高さ方向に沿う平面部をスクリーン部７とする形態（図示せず）、画像を投影するためのスクリーン部材に設置した形態としてもよい（図示せず）。
【００６５】
次に、投影システムＤの具体的な使用形態の一例を説明する。図８は、本使用形態の投影システムＤの構成を示す構成図である。
【００６６】
本使用形態では、地方の商店街（以下、Ａ地点という）、都市部（以下、Ｂ地点という）、観光地の空きスペース（以下、Ｃ地点という）を、相互通信可能に接続してなる投影システムＤとして例示する。
【００６７】
本使用形態では、Ａ地点とＢ、Ｃ地点、Ｂ地点とＣ地点を通信回線Ｇ１で相互通信可能に接続することによって、全ての地点で情報交換ができるようにしたものである。Ａ〜Ｃ地点には、夫々２個の投影装置Ａ１、Ａ２、投影装置Ｂ１、Ｂ２、投影装置Ｃ１、Ｃ２が設置されており、投影装置Ａ１と投影装置Ｃ１、投影装置Ａ２と投影装置Ｂ１、投影装置Ｂ２と投影装置Ｃ２が、夫々相互通信可能に接続されている。
【００６８】
Ａ地点では、閉店状態の店舗や開店中の店舗等に投影装置Ａ１、Ａ２を設置することができる。また、Ｂ地点では、ビルディング等の大規模な建築物に投影装置Ｂ１、Ｂ２を設置することができる。Ｃ地点では、大規模な店舗や立て看板等に投影装置Ｃ１、Ｃ２を設置することができる。
【００６９】
この投影システムＤでは、制御部Ｄ１により一括管理されており、この制御部Ｄ１の指示に基づいて、各投影装置Ａ１、Ａ２、Ｂ１、Ｂ２、Ｃ１、Ｃ２が動作するようになっている。制御部Ｄ１は、投影システムＤを管理する管理者が、投影システムＤを利用する利用者の希望に基づいて動作設定するようになっている。
【００７０】
本使用形態では、第１利用者がＡ地点で開催される催物を、投影装置Ａ１を用いてＣ地点の投影装置Ｃ１に配信し、この投影装置Ｃ１の前に不特定多数の人を集めて前述の催物を見せると同時に、投影装置Ｃ１に集まった人の姿や声を投影装置Ａ１に配信することで、前述の催物に対するＣ地点での反応をＡ地点の第１利用者が確認できるとともに、第１利用者と人とが互いの顔を見ながら会話をすることができるように設定されている。
【００７１】
また、第２利用者がＡ地点において、例えば、Ａ地点の各種告知等を、投影装置Ａ２を用いてＢ地点の投影装置Ｂ１に配信し、この投影装置Ｂ１の前を通る不特定多数の人に前述の各種告知等を行うと同時に、投影装置Ｂ１に集まった人の姿や声を投影装置Ａ２に配信することで、前述の各種告知等に対するＢ地点での反応を第２利用者が確認できるとともに、第２利用者と人とが互いの顔を見ながら会話をすることができるように設定されている。
【００７２】
また、第３利用者がＣ地点において、例えば、Ｃ地点の各種紹介等を、投影装置Ｃ２を用いてＢ地点の投影装置Ｂ２に配信し、この投影装置Ｂ２の前を通る不特定多数の人に前述の各種紹介等を行うと同時に、投影装置Ｂ２に集まった人の姿や声を投影装置Ｃ２に配信することで、前述の各種告知等に対するＢ地点での反応を第３利用者が確認できるとともに、第３利用者と人とが互いの顔を見ながら会話をすることができるように設定されている。
【００７３】
このように設定された投影システムＤによると、第１、第２利用者がＡ地点の画像及び音声による各種情報等をＢ、Ｃ地点に、第３利用者がＣ地点の画像及び音声による各種情報等をＢ地点に配信することで、この各種情報等を不特定多数の人に知らせることができるとともに、この各種情報等に対する各地点の画像及び音声による反応を第１〜第３利用者がリアルタイムで知ることができる。また、第１〜第３利用者と各地点の人同士が互いの顔を見ながら会話することができるため、Ａ〜Ｃ地点での各種情報等に対する意見交換等をリアルタイムで行うことができる。したがって、Ａ、Ｃ地点の宣伝・広告効果を高めることができるとともに、Ｂ、Ｃ地点の人がＡ、Ｃ地点に望んでいること等を直接リサーチすることもできるので、地方の商店街や観光地の活性化等に高い効果が期待できる。
【００７４】
尚、本発明の投影システムＤは、前述した使用形態に限定するものではなく、相互通信可能に接続する地点を切り替えることもできるし、投影装置を増やすこともできる（図示せず）。また、投影装置Ａ１と投影装置Ｂ１及び／又はＢ２、投影装置Ｃ１及び／又はＣ２とを相互通信可能に設定し、Ａ地点の各種情報等をＢ、Ｃ地点に配信し、この各種情報等に対する反応をＢ、Ｃ地点から投影装置Ａ１にのみ配信するように設定することもできる（図示せず）。この場合、投影装置Ａ１の投影部２が、Ｂ、Ｃ地点から配信される画像及び音声を同時に出力できるように設定したり、切替え可能に設定したりするとよい。
【００７５】
更に、本発明の投影装置Ａ、Ｂ、Ｃは、夫々、匂い検出部と匂い合成部を用いてもよい（図示せず）。この匂い検出部は、投影装置Ａ、Ｂ、Ｃが撮影する料理や花等の匂いを検出するとともに、この検出した匂いを匂いデータとして作成するものであり、前述の匂い合成部は、匂いデータに基づいて匂いを再現するように合成し、この合成した匂いを発生させるものである。前述の匂いデータは、前述の画像データ及び音声データと同様に、匂いデータが作成された投影装置Ａ、Ｂ、Ｃの送受信部５から通信回線Ｇ１を介して他の投影装置Ａ、Ｂ、Ｃの送受信部５に送信される。送信された匂いデータは、他の投影装置Ａ、Ｂ、Ｃの送受信部５で受信されるとともに、前述の匂い合成部に送信される。
【００７６】
前述の匂い検出部と匂い合成部を備えた投影装置Ａ、Ｂ、Ｃによると、画像及び音声の入出力に加え、投影されている画像の匂いも入出力することができる。したがって、投影される画像を見ながら会話をし、しかも、その画像の匂いも嗅げるようにすることができるので、より高い宣伝・広告効果が期待できる。
【符号の説明】
【００７７】
Ａ：投影装置
Ａ１：投影装置
Ａ２：投影装置
Ｂ：投影装置
Ｂ１：投影装置
Ｂ２：投影装置
Ｃ：投影装置
Ｃ１：投影装置
Ｃ２：投影装置
Ｄ：投影システム
Ｅ：被写体（人）
Ｆ：建築物
Ｆ１：内側
Ｆ２：外側
Ｆ３：開口部
Ｇ１：通信回線
１：撮影部
２：投影部
５：送受信部
６：スクリーン部（開閉体、壁面、嵌め込み窓）
７：スクリーン領域
８：透過部（貫通孔、嵌め込み窓）
８０：透明体
【図１】
2011160313.tif 000003
【図２】
2011160313.tif 000004
【図３】
2011160313.tif 000005
【図４】
2011160313.tif 000006
【図５】
2011160313.tif 000007
【図６】
2011160313.tif 000008
【図７】
2011160313.tif 000009
【図８】
2011160313.tif 000010